(57)【特許請求の範囲】
【請求項１】
画像形成装置から排紙された用紙を導入して搬送する用紙搬送部と、１枚または複数枚のシートを用いて対向するシート片の少なくとも１縁辺が開放され、他の縁辺が連結されたシートファイルに加工するシートファイル加工部と、前記加工終了前のシートファイルを保持するシートファイル保持部と、該シートファイル保持部で保持された前記シートファイルに対し、前記用紙を配置する用紙配置部と、
前記画像形成装置における前記用紙の排紙条件が、ページ順の小さい側を下面にして出力するフェイスダウン出力か、ページ順の小さい側を上面にして出力するフェイスアップ出力かに従って、前記シートファイルに対する配置位置を変更して前記用紙の配置を行う制御を実行する制御部と、を備えることを特徴とするシートファイル後処理装置。
【請求項２】
前記配置位置の変更は、前記シートファイルの折り目または折り目予定部を基準とする配置面の変更であることを特徴とする請求項１記載のシートファイル後処理装置。
【請求項３】
前記制御部は、前記シートファイル保持部による前記シートファイルの保持位置と前記用紙配置部による用紙の移動位置を相対的に変更する制御によって、前記シートファイルに対する用紙の配置位置を変更することを特徴とする請求項１または２に記載のシートファイル処理装置。
【請求項４】
前記用紙搬送部で搬送された所定枚数の用紙をスタックする用紙スタック部を備え、前記用紙配置部は、前記スタックがされた用紙の配置を行うものであることを特徴とする請求項１〜３のいずれかに記載のシートファイル後処理装置。
【請求項５】
画像形成装置から排紙された用紙を導入して搬送する用紙搬送部と、該用紙搬送部で搬送された所定枚数の用紙をスタックする用紙スタック部と、前記用紙が配置されるシートファイルを保持するシートファイル保持部と、該シートファイル保持部で保持されたシートファイルに対し、前記用紙スタック部でスタックされた前記用紙を配置する用紙配置部と、
前記画像形成装置における用紙の排紙条件が、ページ順の小さい側を下面にして出力するフェイスダウン出力か、ページ順の小さい側を上面にして出力するフェイスアップ出力かに従って、前記用紙のスタック方向または前記シートファイルへのスタック後の用紙の配置方向を変えて、前記シートファイルに対する前記用紙の配置を行う制御を実行する制御部と、を備えることを特徴とするシートファイル後処理装置。
【請求項６】
１枚または複数枚のシートを用いて対向するシート片の少なくとも１縁辺が開放され、他の縁辺が連結されたシートファイルに加工するシートファイル加工部を備え、前記用紙配置部は、前記加工終了前のシートファイルに対し前記用紙を配置するものであることを特徴とする請求項５記載のシートファイル後処理装置。
【請求項７】
前記制御部は、前記スタック部でスタックされた前記用紙を取り出す際に、用紙のいずれの側端を取り出し方向にするかによって、前記シートファイルへの用紙の配置方向を変えることを特徴とする請求項５または６に記載のシートファイル後処理装置。
【請求項８】
前記制御部は、前記スタック部に前記用紙をスタックする際に、該スタック部への前記用紙の導入方向と積載方向とを変えることによって前記スタック方向の変更を行うことを特徴とする請求項５または６に記載のシートファイル後処理装置。
【請求項９】
画像形成装置から排紙された用紙を搬送して、加工終了前のシートファイルに対して前記用紙を配置するシートファイル後処理方法であって、前記画像形成装置における用紙の排紙条件が、ページ順の小さい側を下面にして出力するフェイスダウン出力か、ページ順の小さい側を上面にして出力するフェイスアップ出力かに従って、前記シートファイルに対する配置位置を変更して前記用紙の配置を行うことを特徴とするシートファイル後処理方法。
【請求項１０】
画像形成装置から出力された用紙を搬送しつつスタックした後、シートファイルに対して前記用紙を配置するシートファイル後処理方法であって、前記画像形成装置における用紙の排紙条件が、ページ順の小さい側を下面にして出力するフェイスダウン出力か、ページ順の小さい側を上面にして出力するフェイスアップ出力かに従って、前記用紙のスタック方向または前記シートファイルへの前記スタック後の用紙の配置方向を変えて前記シートファイルに対する前記用紙の配置を行うことを特徴とするシートファイル後処理方法。
【請求項１１】
請求項１〜８のいずれかに記載のシートファイル後処理装置と、画像データに基づいて形成した画像を用紙に転写し、定着後に該用紙を出力する画像形成装置とを備えることを特徴とする画像形成システム。
【発明の詳細な説明】
【技術分野】
【０００１】
この発明は、対向するシート片間に書類などの用紙を挟んで収納した状態のシートファイルを提供するシートファイル後処理装置、シートファイル後処理方法および前記シートファイル後処理装置を備える画像形成システムに関するものである。
【背景技術】
【０００２】
クリアファイルなどのシートファイルでは、対向するシート片の１〜３縁辺を開放し、他の縁辺を連結した状態にして書類などの用紙の出し入れを可能にしており、書類の整理や資料の取り纏めなどに活用されている。また、使い勝手を良くするために、第３のシート片を設けて収納部分を増やしたシートファイルも提案されている（特許文献１参照）。
【０００３】
上記シートファイルは、通常は一枚の大判のシートを折り曲げ、必要に応じて対向するシート片の縁辺を接着することで工業的に製造されている。また、Ｚ折り葉書などの製造では、収納用紙を挟むようにしてファイルを一体にして製造する工程が採用されている（例えば特許文献２参照）が、前記シートファイルに用紙を収納する場合、Ｚ折り葉書のような製造工程の採用は困難である。
【０００４】
なお、画像形成装置で画像を転写して出力する場合、ページ順の若い画像面を上面にして出力するフェイスアップと、ページ順の若い画像面を下面にして出力するフェイスダウンとを選択可能な画像形成装置が知られている。また、原稿を自動で読み取る自動原稿読み取り装置（ＡＤＦ）を備える画像形成装置では、通常は、ＡＤＦにセットされた原稿束の最上面ページ（通常は先頭ページとなる）から順次読み込まされて先頭ページから最終ページに至る原稿データが生成される。このような画像形成装置では、用紙を反転させる反転手段を備えており、先頭ページから用紙の片面に画像を形成し、用紙を反転手段で反転させてフェイスダウンの状態で排紙することで、生産性を高めたままでページ順が揃った出力物を得ることができる。
【先行技術文献】
【特許文献】
【０００５】
【特許文献１】特開２００９−２６２５１６号公報
【特許文献２】特開２００５−３３５３２０号公報
【発明の概要】
【発明が解決しようとする課題】
【０００６】
ところで、１枚または複数枚のシートを用いてシートファイルに加工可能で、加工途中の該シートファイルに用紙を配置することができる後処理装置を画像形成装置に接続することで、画像形成された用紙をインラインでシートファイルに収納することが可能になる。
この場合、例えば図８（ａ）に示すように、側縁が接合される前のシートファイルに対し、フェイスアップでＮｔｏ１のページ順で画像形成装置から排紙される用紙を折り目または折り目予定部に用紙先端を揃えるように順次配置する。そして、配置終了後に、シートファイルの側縁Ｆ１の接合を行うことによって、右開き取り出しでページ順で用紙が収納されたシートファイルが得られる。
しかし、前記したように画像形成装置では、通常は、用紙をフェイスダウン、フェイスアップのいずれの条件でも出力可能である。このため、フェイスアップを前提にしてシートファイルの保持と用紙の配置が行われるシートファイル後処理装置では、図８（ｂ）に示すようにフェイスダウンの状態で画像形成装置から排紙された用紙の配置を行うと、シートファイルの加工終了後には右開き取り出しで用紙が裏返しになったシートファイルになってしまう。すなわち、フェイスダウンで出力された用紙とフェイスアップで出力された用紙とで、用紙の収納体裁が異なったシートファイルになってしまうという問題がある。
【０００７】
本発明は上記事情を背景としてなされたものであり、画像形成装置における用紙の出力条件に拘わらず、同じ収納体裁で用紙を収納したシートファイルを得ることができるシートファイル後処理装置、シートファイル後処理方法および画像形成システムを提供することを目的とする。
【課題を解決するための手段】
【０００８】
すなわち、本発明のシートファイル後処理装置は、画像形成装置から排紙された用紙を導入して搬送する用紙搬送部と、１枚または複数枚のシートを用いて対向するシート片の少なくとも１縁辺が開放され、他の縁辺が連結されたシートファイルに加工するシートファイル加工部と、前記加工終了前のシートファイルを保持するシートファイル保持部と、該シートファイル保持部で保持された前記シートファイルに対し、前記用紙を配置する用紙配置部と、
前記画像形成装置における前記用紙の排紙条件が、ページ順の小さい側を下面にして出力するフェイスダウン出力か、ページ順の小さい側を上面にして出力するフェイスアップ出力かに従って、前記シートファイルに対する配置位置を変更して前記用紙の配置を行う制御を実行する制御部と、を備えることを特徴とする。
【０００９】
本発明によれば、シートファイルとしての加工を終了前に、画像形成装置における用紙排紙条件に従って用紙の配置位置を変えることで、前記加工終了後に、前記用紙の排紙条件に拘わらず同じ収納体裁で用紙が収納されたシートファイルを得ることが可能になる。
【００１０】
本発明の他の形態のシートファイル後処理装置は、前記本発明において、前記配置位置の変更は、前記シートファイルの折り目または折り目予定部を基準とする配置面の変更であることを特徴とする。
【００１１】
上記本発明によれば、用紙の排紙条件に従って折り目を基準にして配置面を変更するように用紙が配置されることで、用紙の収納体裁を用紙の排紙条件に拘わらず同じにすることができる。
【００１２】
本発明の他の形態のシートファイル後処理装置は、前記本発明において、前記制御部は、前記シートファイル保持部による前記シートファイルの保持位置と前記用紙配置部による用紙の移動位置を相対的に変更する制御によって、前記シートファイルに対する用紙の配置位置を変更することを特徴とする。
【００１３】
上記本発明によれば、シートファイル保持部の保持位置と用紙配置部による用紙の移動位置の一方または両方を変更することで、シートファイルに対する用紙の配置位置を変更することができる。
【００１４】
本発明の他の形態のシートファイル後処理装置は、前記本発明において、前記用紙搬送部で搬送された所定枚数の用紙をスタックする用紙スタック部を備え、前記用紙配置部は、前記スタックがされた用紙の配置を行うものであることを特徴とする。
【００１５】
上記本発明によれば、スタックされた用紙においても、用紙の排紙条件に従ってシートファイルに対する配置位置を変更することで、用紙の排紙条件に拘わらずシートファイルへの用紙の収納体裁を同じにすることができる。
【００１６】
本発明の他の形態のシートファイル後処理装置は、画像形成装置から排紙された用紙を導入して搬送する用紙搬送部と、該用紙搬送部で搬送された所定枚数の用紙をスタックする用紙スタック部と、前記用紙が配置されるシートファイルを保持するシートファイル保持部と、該シートファイル保持部で保持されたシートファイルに対し、前記用紙スタック部でスタックされた前記用紙を配置する用紙配置部と、
前記画像形成装置における用紙の排紙条件が、ページ順の小さい側を下面にして出力するフェイスダウン出力か、ページ順の小さい側を上面にして出力するフェイスアップ出力かに従って、前記用紙のスタック方向または前記シートファイルへのスタック後の用紙の配置方向を変えて、前記シートファイルに対する前記用紙の配置を行う制御を実行する制御部と、を備えることを特徴とする。
【００１７】
上記本発明によれば、スタックされた用紙をシートファイルに対し配置する際に、用紙の排紙条件に従って、スタック方向やスタック用紙の配置方向を変えることで用紙の排紙条件に拘わらずシートファイルへの用紙の収納体裁を同じにすることができる。
【００１８】
本発明の他の形態のシートファイル後処理装置は、前記本発明において、１枚または複数枚のシートを用いて対向するシート片の少なくとも１縁辺が開放され、他の縁辺が連結されたシートファイルに加工するシートファイル加工部を備え、前記用紙配置部は、前記加工終了前のシートファイルに対し前記用紙を配置するものであることを特徴とする。
【００１９】
上記本発明によれば、スタックされた用紙を加工終了前のシートファイルに配置し、その後、シートファイルとしての加工を終了することができる。シートファイル加工部は、シートファイルを中央で折る折り部や側縁を接着する接着部によって構成される。折り部と接着部はいずれか一方を備えるものであってもよい。
【００２０】
本発明の他の形態のシートファイル後処理装置は、前記本発明において、前記制御部は、前記スタック部でスタックされた前記用紙を取り出す際に、用紙のいずれの側端を取り出し方向にするかによって、前記シートファイルへの用紙の配置方向を変えることを特徴とする。
【００２１】
上記本発明によれば、用紙の排紙条件に従ってスタック後の用紙の取り出し方向を変えることで、用紙の排紙条件に拘わらずシートファイルへの用紙の収納体裁を同じにすることができる。
【００２２】
本発明の他の形態のシートファイル後処理装置は、前記本発明において、前記制御部は、前記スタック部に前記用紙をスタックする際に、該スタック部への前記用紙の導入方向と積載方向とを変えることによって前記スタック方向の変更を行うことを特徴とする。
【００２３】
上記本発明によれば、用紙の排紙条件に従ってスタックの際の用紙の導入方向と積載方向を変えることで、用紙の排紙条件に拘わらずシートファイルへの用紙の収納体裁を同じにすることができる。
【００２６】
本発明のシートファイル後処理方法は、画像形成装置から排紙された用紙を搬送して、加工終了前のシートファイルに対して前記用紙を配置するシートファイル後処理方法であって、前記画像形成装置における用紙の排紙条件が、ページ順の小さい側を下面にして出力するフェイスダウン出力か、ページ順の小さい側を上面にして出力するフェイスアップ出力かに従って、前記シートファイルに対する配置位置を変更して前記用紙の配置を行うことを特徴とする。
【００２７】
本発明の他の形態のシートファイル後処理方法は、画像形成装置から出力された用紙を搬送しつつスタックした後、シートファイルに対して前記用紙を配置するシートファイル後処理方法であって、前記画像形成装置における用紙の排紙条件が、ページ順の小さい側を下面にして出力するフェイスダウン出力か、ページ順の小さい側を上面にして出力するフェイスアップ出力かに従って、前記用紙のスタック方向または前記シートファイルへの前記スタック後の用紙の配置方向を変えて前記シートファイルに対する前記用紙の配置を行うことを特徴とする。
【００２８】
上記本発明によれば、画像形成装置における用紙排紙条件に従って用紙の配置位置を変えることで、前記排紙条件に拘わらず同じ収納体裁のシートファイルを得ることが可能になる。
【００２９】
本発明の画像形成システムは、前記本発明のシートファイル後処理装置と、画像データに基づいて形成した画像を用紙に転写し、定着後に該用紙を出力する画像形成装置とを備えることを特徴とする。
【００３１】
上記本発明によれば、画像形成装置で出力された用紙を排紙条件に拘わらず、インラインでシートファイル後処理装置において同じ収納体裁でシートファイル内に収納することができる。
【発明の効果】
【００３２】
以上説明したように、本発明によれば、画像形成装置における排紙条件に拘わらず、用紙をシートファイルに収納した同一完成物を、煩雑な処理や複雑な構成を要することなく容易に得ることができる。
【図面の簡単な説明】
【００３３】
【図１】本発明の一実施形態のシートファイル後処理装置および該装置を含む画像形成システムを示す図である。
【図２】同じく、折り部の詳細を示す概略図である。
【図３】同じく、溶着部の詳細を示す概略図である。
【図４】同じく、シートファイルへの用紙の配置から加工完了に至る状態を説明する図である。
【図５】同じく、シートファイルへの用紙の配置手順を示すフローチャートである。
【図６】本発明の他の実施形態のシートファイル後処理装置および該装置を含む画像形成システムを示す図である。
【図７】本発明のさらに他の実施形態のシートファイル後処理装置におけるシートファイル保持部、スタック部、用紙配置部周辺を示す概略図である。
【図８】本発明以外のシートファイル後処理装置において、フェイアップで排紙された用紙をシートファイルに収納する状態と、フェイスダウンで排紙された用紙をシートファイルに収納する状態を説明する図である。
【発明を実施するための形態】
【００３４】
以下に、本発明の一実施形態を図１〜図５に基づいて説明する。
図１は、画像形成装置１０と、シートファイル後処理装置２０とが順次接続された画像形成システム１の概略を示すものである。
【００３５】
画像形成装置１０は、用紙Ｐを収納する給紙トレイ２と、該給紙トレイ２から用紙Ｐを給紙して搬送する給紙搬送部３と、該給紙搬送部３によって搬送される用紙Ｐに画像形成を行う画像形成部４と、画像形成された用紙Ｐの定着を行う定着部５と、操作者による操作入力および情報の表示がなされる操作表示部６と、画像の定着が行われた用紙を反転する用紙反転部７と、画像形成システム１全体を制御する画像形成制御部８とを備えている。該画像形成制御部８は、本発明の制御部に相当する。この際に、操作表示部６では、画像形成を伴うジョブにおいて、シートファイルＦに用紙Ｐを配置するシートファイル後処理モードとするか、シートファイルＦへの用紙Ｐの配置を伴わない通常処理モードとするかを選択することができる。
上記画像形成制御部８では、用紙反転部７によって用紙Ｐを反転するか否かの選択が可能になっており、初期設定では、通常は、片面印刷に関し用紙反転部７によって用紙Ｐを反転して出力するように選択設定されている。上記定着部５で定着された用紙Ｐは、後段のシートファイル後処理装置２０に排紙される。
【００３６】
シートファイル後処理装置２０は、シートファイルＦを収納するシートファイルトレイ２１と、該シートファイルトレイ２１からシートファイルＦを給送して搬送し、シートファイル保持部２３に搬送するシートファイル搬送部２２を備えている。
また、シートファイル後処理装置２０は、画像形成装置１０から導入される用紙Ｐを搬送する用紙搬送部２５と、用紙搬送部２５で搬送された用紙Ｐを前記シートファイル保持部２３に保持されたシートファイルＦの挿入位置に配置する用紙配置部２６とを備えている。なお、本発明としては用紙配置部２６を用紙搬送部２５で兼用するものであってもよい。
【００３７】
また、シートファイル後処理装置２０は、シートファイル保持部２３で保持されて用紙Ｐが配置されたシートファイルＦの折り処理を行う折り部２７と、折り処理がなされたシートファイルの一縁片を溶着する溶着部２８とを備えている。溶着部２８は、本発明の接着部に相当する。この実施形態では、折り部２７と溶着部２８とによってシートファイル加工部が構成されている。
また、シートファイル後処理装置２０には、該シートファイル後処理装置２０全体を制御するシートファイル後処理制御部２９を備えており、該シートファイル後処理制御部２９は、前記画像形成装置１０の画像形成制御部８の制御指令を受ける。
【００３８】
次に、上記画像形成システムの動作について説明する。
画像形成装置１０では、画像形成制御部８の制御に基づいて、操作表示部６における実行指令などに基づいて、画像形成部４で画像データに基づいて画像形成が行われる。
また、画像形成制御部８では、画像形成に際しては、Ｎページのジョブについて、１ｔｏＮページの順で画像の形成を行うか、Ｎｔｏ１ページの順で画像の形成を行うかを、前記操作表示部６を通して選択設定することができ、初期設定では、１ｔｏＮの順で画像形成するように選択設定されている。さらに、画像形成制御部８では、画像形成に際し、若いページの画像形成面を下にして排紙されるフェイスダウンと、若いページの画像形成面を上にして排紙されるフェイスアップとが前記操作表示部６を通して選択設定することができ、初期設定では、フェイスダウンで排紙するように選択設定されている。上記ページ順やフェイスアップ、フェイスダウンの別などの初期設定は、画像形成制御部８に備える不揮発メモリなどに格納されている。
【００３９】
給紙トレイ２からは給紙搬送部３によって用紙Ｐが給紙、搬送され、用紙Ｐへの転写がなされ、定着部５で定着される。この際に、用紙Ｐは長尺辺が搬送方向に位置して搬送される。画像の定着後、用紙Ｐは、設定に従って用紙反転部７で反転する反転排紙またはストレート排紙で、フェイスダウンの状態で画像形成装置１０から排紙され、そのままシートファイル後処理装置２０に導入される。なお、図示していないが、定着部５の通過後に画像形成部４へと用紙を再搬送する再搬送経路を備え、これにより両面印刷を行う場合は、裏面画像の定着後、用紙の反転を行うことなくストレート排紙、フェイスダウンで出力される。
【００４０】
シートファイル処理制御部２９は、画像形成制御部８の制御指令を受け、シートファイル後処理モードと通常処理モードの何れかを実行する。シートファイル後処理モードでは、シートファイルＦに、印刷がされた用紙Ｐを配置し、該シートファイルＦを折り処理、溶着処理する加工を行う。通常処理モードでは、シートファイルＦへの用紙Ｐの配置を行わず、そのまま用紙Ｐを排紙する。
シートファイル後処理では、画像形成装置１０から排紙される用紙Ｐをフェイスダウンの状態で用紙搬送部２５によって搬送する。
シートファイルトレイ２１からは、シートファイルＦを取り出してシートファイル搬送部２２によって搬送する。なお、シートファイルトレイ２１では、取り出し方向にシートファイルＦの短尺辺が沿うように収納されている。
シートファイル搬送部２２で搬送されるシートファイルＦは、搬送の結果、シートファイル保持部２３で保持される。
【００４１】
用紙配置部２６では、用紙搬送部２５によって用紙Ｐが搬送されると、用紙Ｐを移動させて、シートファイルＦに順次配置する。この際に、画像形成制御部８では、用紙Ｐの排紙条件、すなわち、フェイスアップ、フェイスダウンの条件に従って、配置位置を決定する制御を行う。
フェイスアップの条件では、図４（ａ）に示すように、シートファイルＦの折り目予定部Ｂを基準とし、用紙の進行方向先端を折り目予定部Ｂに揃えて、シートファイル保持部２３に保持されたシートファイルＦの右側に用紙Ｐを順次配置する。
所定枚数の用紙が配置されたシートファイルＦは、折り部２７に搬送して折り目を形成する折り処理を行う。
【００４２】
次に、折り部２７の詳細を説明する。
該折り部２７では、図２に示すように、押し当て部２７１が該押し当て部２７１と受け部２７２の先端位置付近を中心に回転可能になっており、シートファイルＦに対し支持台２７０側に押し当て部２７１を配置し、該押し当て部２７１を受け部２７２側に回転して押し当てを行うことで、シートファイルＦに折り目を形成することが可能になっている。また、折り部２７には、上記支持台２７０、押し当て部２７１および受け部２７２によって折り目を形成したシートファイルＦを、前記折り目を先頭側にして通過させることで折りを完了させる対の押圧ローラ２７３を備えている。該押圧ローラ２７３、２７３の通過によって加工完了前のシートファイルＦは、折り目が形成され、図４（ｂ）に示すように、用紙Ｐが収納された状態でシートファイルＦへの折り処理が完了する。
【００４３】
折り部２７で折り処理が完了したシートファイルＦと用紙Ｐは、図４（ｃ）に示すように、溶着部２８に搬送されて折り曲げられたシートＳの対向するシート片の一縁辺、すなわち溶着位置Ｆ１を溶着する。
溶着部２８は、図３に示すように、対向するシート片の一縁辺を上下から挟んで押圧しつつ加熱する対の加熱部２８０を有しており、該加熱部２８０は押圧したシート片を加熱して押圧部分でシート片同士を溶着、すなわち接着する。したがって、該溶着部２８は本発明の接着部に相当する。なお、シート片同士の接着は、既述したように溶着に限定されるものではなく、超音波接着などによって行うものであってもよい。
【００４４】
上記溶着の終了によってシートファイルの加工処理が終了し、図４（ｄ）に示すように、用紙Ｐが収納され、折り処理および溶着処理が完了したシートファイルＦが得られる。
該シートファイルＦでは、右開き取り出しで出力紙がページ順に収納されている。
【００４５】
一方、画像形成装置１０から、用紙Ｐがフェイスダウンで排紙される場合、シートファイル後処理制御部２９では、折り目予定部Ｂを基準にして、用紙進行方向後端が前記折り目予定部Ｂに揃って、シートファイルＦの左側に位置するように、用紙の配置位置を変更する。このシートファイルＦに対し上記と同様に折り処理、溶着処理を行うと、図４（ｄ）と同様に、右開き取り出しで出力紙がページ順に収納されたシートファイルＦが得られる。
したがって、上記用紙配置の変更によって画像形成装置１０における排紙条件に拘わらず、同じ用紙収納体裁のシートファイルＦを得ることができる。
【００４６】
次に、上記画像形成システム１における画像制御部８による制御手順について、図５のフローチャートに基づいて説明する。なお、この手順では、シートファイルＦとしてはクリアファイルを用い、片面印刷をする例について説明する。
処理の開始に伴って、クリアファイル後処理モードが選択されているか否かを判定する（ステップｓ１）。該選択は、前記操作表示部６を通して操作者が選択設定することができ、また、初期設定でシートファイル後処理モードか通常処理モードのいずれかが選択されて設定されている。
【００４７】
シートファイル後処理モードが選択されるまで、当該手順の処理はなされず（ステップｓ１、ｎ）、シートファイル後処理モードが選択されると（ステップｓ１、ｙ）、ストレート排紙であるか否かの判定がなされる（ステップｓ２）。ストレート排紙では、フェイスアップで用紙が排紙される。
ストレート排紙の場合（ステップｓ２、ｙ）、用紙配置部２６によって、用紙進行方向先端をクリアファイルのシート折り目予定部側にセット（用紙配置）する（ステップｓ３）。一方、ストレート排紙でない場合（ステップｓ２、ｎ）、画像形成装置１０で反転排紙をすることで、フェイスダウンで排紙され、用紙配置部２６によって、用紙進行方向後端をクリアファイルのシート折り目予定部側にセット（用紙配置）する（ステップｓ４）。
ステップｓ３、ｓ４後、折り部２７においてクリアファイルＦの折り処理を行う（ステップｓ５）。次いで、折り処理されたクリアファイルＦの一縁辺を溶着部２８によって溶着し（ステップｓ６）、用紙Ｐが同じ体裁で収納されて加工が終了したクリアファイルＦを得る。
なお、上記実施形態では、シートファイルＦに用紙Ｐを一枚ずつ配置するものとして説明したが、複数枚の用紙をスタックした後にまとめてシートファイルＦに配置する場合にも、同様に配置位置を変更することで、排紙条件に拘わらず同じ収納体裁で用紙Ｐが収納されたシートファイルＦが得られる。
【００４８】
次に、他の実施形態を図６に基づいて説明する。
この実施形態は、画像形成装置１０に、スタック部を備えるシートファイル後処理装置３０が接続された画像形成システム１ａからなるものである。
なお、前記実施形態と同様の構成については、同一の符号を付してその説明を省略または簡略化する。
画像形成装置１０では、前記実施形態と同様に、用紙Ｐを収納する給紙トレイ２と、該給紙トレイ２から用紙を給紙して搬送する給紙搬送部３と、該給紙搬送部３によって搬送される用紙に画像形成を行う画像形成部４と、画像形成された用紙の定着を行う定着部５と、操作者による操作入力および情報の表示がなされる操作表示部６と、画像の定着が行われた用紙を反転する用紙反転部７と、画像形成システム１ａ全体を制御する画像形成制御部８とを備えている。上記画像形成制御部８では、用紙反転部７によって用紙を反転するか否かの選択が可能になっており、初期設定では、通常時に用紙反転部７によって用紙を反転して出力するように選択設定されている。定着部５で定着された用紙は、後段のシートファイル後処理装置３０に排紙される。
【００４９】
シートファイル後処理装置３０では、シートファイルＦを収納するシートファイルトレイ３１と、該シートファイルトレイ３１からシートファイルＦを給送して搬送し、シートファイル保持部３３に搬送するシートファイル搬送部３２を備えている。
また、シートファイル後処理装置３０は、画像形成装置１０から導入される用紙を搬送する用紙搬送部３５と、用紙搬送部３５で搬送された用紙Ｐをスタックするスタック部３６と、スタック部３６でスタックされた用紙Ｐを前記シートファイル保持部３３に保持されたシートファイルＦ上に配置する用紙配置部３６ａとを備えている。用紙配置部３６ａは、スタック部３６の上方側から用紙Ｐの上端を進行方向先端にして用紙Ｐを取り出す場合と、スタック部３６の下方側から用紙下端を進行方向先端にして用紙Ｐを取り出す場合とが選択可能になっている。
【００５０】
また、シートファイル後処理装置３０は、シートファイル保持部３３で保持されて用紙Ｐが配置されたシートファイルＦの折り処理を行う折り部３７と、折り処理がなされたシートファイルＦの一縁片を溶着する溶着部３８とを備えている。折り部３７と溶着部３８とは、前記折り部２７と溶着部２８と同様の構成を有している。
また、シートファイル後処理装置３０には、該シートファイル後処理装置３０全体を制御するシートファイル後処理制御部３９を備えており、該シートファイル後処理制御部３９は、前記画像形成装置１０における画像形成制御部８の制御指令を受ける。
【００５１】
次に、上記画像形成システムの動作について説明する。
画像形成装置１０では、画像形成制御部８の制御に基づいて、操作表示部６における実行指令などに基づいて、画像形成部４で画像データに基づいて画像形成が行われる。
画像形成制御部８では、前記実施形態と同様に、Ｎページのジョブについて、１ｔｏＮページの順で画像の形成を行うか、Ｎｔｏ１ページの順で画像の形成を行うかを操作表示部６を通して選択設定することができ、初期設定では、１ｔｏＮの順で画像形成するように選択設定されている。さらに、画像形成制御部８では、若いページの画像形成面を下にして排紙されるフェイスダウンと、若いページの画像形成面を上にして排紙されるフェイスアップとが操作表示部６を通して選択設定することができ、初期設定では、フェイスダウンで排紙するように選択設定されている。
【００５２】
給紙トレイ２からは給紙搬送部３によって給紙搬送された用紙Ｐは、画像形成部４で用紙への画像転写がなされ、定着部５で定着される。画像の定着後、用紙Ｐは、設定に従って用紙反転部７で反転する反転排紙、またはストレート排紙でフェイスダウンまたはフェイスアップの状態で画像形成装置１０から排紙され、シートファイル後処理装置３０に導入される。
【００５３】
シートファイル後処理制御部３９では、画像形成制御部８の制御指令を受け、シートファイル後処理モードでは、シートファイルＦに印刷がされた用紙Ｐを配置してシートファイルＦを加工する後処理を行う。通常処理モードでは、シートファイルＦへの用紙Ｐの配置を行わず、そのまま用紙Ｐを排紙する。
該シートファイル後処理では、画像形成装置１０から排紙される用紙Ｐを用紙搬送部３５によって搬送する。
シートファイルトレイ３１からは、シートファイルＦを取り出してシートファイル搬送部３２によって搬送する。なお、シートファイルトレイ３１では、取り出し方向にシートファイルＦの短尺辺が沿うように収納されている。
シートファイル搬送部３２で搬送されるシートファイルＦは、搬送されてシートファイル保持部３３で保持される。
【００５４】
用紙搬送部３５によって搬送される用紙Ｐは、スタック部３６で順次スタックされる。該スタックでは、先の用紙Ｐが下方になるように積層される。
用紙配置部３６ａでは、画像形成制御部８の制御を受け、用紙の排紙条件、すなわち、フェイスダウンかフェイスアップかによって取り出し方向を変更する。すなわち、フェイスアップの条件では、スタック部３６でスタックされた用紙の下端側を進行方向先端にして用紙Ｐを取り出し、シートファイル保持部３３で保持されたシートファイルＦの折り目予定部を基準にして、用紙の進行方向先端が前記折り目予定部に揃うように用紙Ｐを配置する。
一方、フェイスダウンの条件では、スタック部３６でスタックされた用紙の上端側を進行方向先端にして用紙Ｐを取り出し、シートファイル保持部３３で保持されたシートファイルの折り目予定部を基準にして、用紙の進行方向先端が前記折り目予定部に揃うように用紙Ｐを配置する。これにより用紙Ｐの排紙条件に拘わらず用紙Ｐを同じ体裁でシートファイルＦに配置することができる。
【００５５】
上記シートファイルＦは、折り部３７に搬送し、上記折り部２７と同様に用紙Ｐを収納した状態でシートファイルＦに折り目を形成する。
折り目を形成したシートファイルＦは、溶着部３８に搬送し、上記溶着部２８と同様にシートファイルＦの一縁辺を溶着する。
上記により排紙条件に拘わらず、スタック部での用紙の取り出し方向を変更することで、同じ収納体裁で用紙を収納したシートファイルを得ることができる。
【００５６】
また、スタック部において、用紙Ｐの取り出し方向の変更ではなく、スタック方向を変えることで排紙条件に拘わらず、用紙Ｐの収納体裁を同じにすることも可能である。
図７は、用紙の積載方向およびスタック部への用紙の導入方向を変更することでスタック方向を変更可能としたシートファイル後処理装置４０の一部を示すものである。
【００５７】
この形態のスタック部４１は上記のように用紙Ｐの導入方向および積載方向が変更可能であり、導入方向および積載方向が異なる複数のスタック部分を有するものであってもよく、また、導入方向および積載方向を変更できるようにスタック部分の姿勢の変更を可能にしたものであってもよい。
図７（ａ）の状態では、スタック部４１に搬送される用紙Ｐの先端側を下方にして順次用紙表面側に用紙Ｐがスタックされる。図７（ｂ）の状態では、搬送される用紙Ｐの後端側を下方にしてスタック部４１に導入され、かつ順次用紙裏面側に用紙Ｐがスタックされる。画像形成装置１０で用紙Ｐがフェイスアップで排紙される場合、上記図７（ａ）に示すように、搬送される用紙Ｐの先端側を下方にしてスタック部４１に導入され、かつ順次用紙表面側に用紙Ｐをスタックする。一方、画像形成装置１０で用紙Ｐがフェイスダウンで排紙される場合、上記図７（ｂ）に示すように、搬送される用紙Ｐの後端側を下方にして順次、用紙裏面側に用紙Ｐをスタックする。
【００５８】
いずれの場合も、用紙Ｐの下方側を進行方向先端にしてシートファイル保持部４２で保持されたシートファイルＦの折り目予定部を基準にして、用紙の進行方向先端が前記折り目予定部に揃うように用紙Ｐを配置する。これにより用紙Ｐの排紙条件に拘わらず用紙Ｐを同じ体裁でシートファイルＦに配置することができる。
その後は、前記実施形態と同様にシートファイルの折り処理および溶着処理を行うことができる。
なお、上記スタック部を用いた形態では、加工が完了したシートファイルに用紙を挿入するようにして用紙の配置を行うことも可能である。
【００５９】
以上、本発明について上記実施形態に基づいて説明を行ったが、本発明の範囲を逸脱しない限りは適宜の変更が可能である。
【符号の説明】
【００６０】
１  画像形成システム
８  画像形成制御部
１０  画像形成装置
２０  シートファイル後処理装置
２１  シートファイルトレイ
２２  シートファイル搬送部
２３  シートファイル保持部
２５  用紙搬送部
２６  用紙配置部
２７  折り部
２８  溶着部
２９  シートファイル後処理制御部
３０  シートファイル後処理装置
３１  シートファイルトレイ
３２  シートファイル搬送部
３３  シートファイル保持部
３５  用紙搬送部
３６  スタック部
３６ａ用紙配置部
３７  折り部
３８  溶着部
３９  シートファイル後処理制御部
４０  シートファイル後処理装置
４１  スタック部
４２  シートファイル保持部
【図１】
0005825464.tif 000002
【図２】
0005825464.tif 000003
【図３】
0005825464.tif 000004
【図４】
0005825464.tif 000005
【図５】
0005825464.tif 000006
【図６】
0005825464.tif 000007
【図７】
0005825464.tif 000008
【図８】
0005825464.tif 000009